(57)【要約】【課題】伸縮棒体の可動と固定を簡単に切り替え可能で、椅子用に用いれば、使用者が簡易に座面の位置決めと旋回の切替え操作を行うことができるガスシリンダー棒の提供。【解決手段】ガスシリンダー棒本体１０に対して伸縮棒体１１と位置決めリング２０が連動して回転し、位置決めリング２０の外周面に嵌入孔２２が形成され、ガスシリンダー棒本体１０に固定されたスリーブ部１２に位置決めリング２０と対応して規制棒体３０及び規制部材５０が設置され、規制部材５０を回転させることで、規制棒体３０が嵌入孔２２に嵌入された固定状態と、嵌入孔２２から離脱させた旋回状態を切り替える。【選択図】図２
0003197257.tif 000002
【実用新案登録請求の範囲】
【請求項１】
ガスシリンダー棒本体、位置決めリング、規制棒体、外カバー、規制部材を含むガスシリンダー棒であって、
前記ガスシリンダー棒本体は、その内部空間から伸縮棒体が延伸して設けられ、ガスシリンダー棒本体の上端部にスリーブ部が設けられ、該スリーブ部の内部に円形の収容空間が形成されるとともに、前記スリーブ部の外周面に凸部が設けられ、前記凸部に収容部が形成され、該収容部からスリーブ部を貫通して前記収容空間に連通する貫通孔が形成され、前記伸縮棒体は、断面が非円形の柱状であって、スリーブ部から突出され、
前記位置決めリングは、前記収容空間に回動可能に収容され、前記伸縮棒体に合わせた非円形の連結孔を備え、伸縮棒体が連結孔に挿通されるとともに、位置決めリングの外周面に複数の嵌入孔が周方向に並べて穿設され、
前記規制棒体は、フランジを備え、ガスシリンダー棒本体の凸部に径方向へ摺動可能に取り付けられ、フランジが収容部内に収容され、かつ、フランジから位置決め部が延伸されて貫通孔を通過し、さらに、前記フランジを介して前記規制棒体を内方へ向けて付勢する弾性部材が前記収容部内に設置され、前記規制棒体が内方へ摺動した時、前記位置決め部が嵌入孔に嵌合され、
前記外カバーは、凸部の外側に取り付けられて、前記規制棒体と弾性部材の収容部からの脱出を規制するとともに、前記外カバーに規制棒体の外端部が突出される通孔が穿設され、
前記規制部材は、規制棒体に偏心状に枢設され、かつ、回転に伴って前記外カバーに択一的に当接し、外カバーに当接した時に前記規制棒体を弾性部材の付勢力に抗して外方へ牽引する牽引面と、外カバーに当接した時に前記規制棒体を解放する解放面とを備えている、
ことを特徴とする、ガスシリンダー棒。
【請求項２】
前記ガスシリンダー棒本体は環状カバーを備え、該環状カバーが前記スリーブ部上に取り付けられて、前記位置決めリングの収容空間からの脱出が規制されていることを特徴とする、請求項１に記載のガスシリンダー棒。
【考案の詳細な説明】
【技術分野】
【０００１】
本考案は、位置決めと自由回動の機能を備えた椅子用に好適なガスシリンダー棒に関する。
【背景技術】
【０００２】
従来の椅子のベース構造には、例えば、特許文献１に記載の「オフィスチェア」がある。この椅子は、ベース上に座面が設置され、かつ位置規制座体と、下端部に脚部が設置された棒体を組み合わせて構成されており、前記ベース内に位置規制座体を挿通させることができる通孔が開設され、位置規制座体に設けられた連結孔と、脚部に嵌置される多辺形の棒体の上端部に凸設された被着部とが相互に緊密に嵌合固定して結合され、さらにベースの外側に通孔内に向けて位置規制孔が開設され、ボルトが穿設されて位置規制座体外縁に設けられた位置規制溝内に嵌入されることを特徴とする。
これにより、常態では、座面を位置規制座体上で任意に旋回させることができ、ボルトを内側に向けて位置規制座体の位置規制溝内に嵌入させると、ベースが位置規制座体上で旋回しないように規制することができる。
【先行技術文献】
【特許文献】
【０００３】
【特許文献１】台湾実用新案公告第５７６１６１号明細書
【考案の概要】
【考案が解決しようとする課題】
【０００４】
上記従来の椅子は、ベース内に位置規制座体が設置され、かつベースの一側にボルトが設置され、前記ボルトを回すことで位置規制座体を固定するか、自由に回動可能な状態にして、前記椅子を旋回可能または固定状態にすることができるが、椅子の座面を固定するまたは固定を解除する過程で、ボルトを回さなければ調整を達成することができず、操作に手間がかかり不便である。また、ボルトの歯が位置規制座体の位置規制溝にぶつかって破損しやすく、ボルトを締めて回動を規制し、座面の状態を調整できなくなることがあり、これらが使用上の欠点となっている。
本考案が解決しようとする課題は、上述の問題を解決し、伸縮棒体の回動可能状態と固定状態とを簡単に切り替えることができ、椅子用として用いた場合は、使用者が簡易に座面の位置決めと旋回の切替え操作を行うことができるガスシリンダー棒を提供することにある。
【課題を解決するための手段】
【０００５】
本考案のガスシリンダー棒は、ガスシリンダー棒本体、位置決めリング、規制棒体、外カバー、規制部材を含み、前記ガスシリンダー棒本体は、その内部空間から伸縮棒体が延伸して設けられ、ガスシリンダー棒本体の上端部にスリーブ部が設けられ、該スリーブ部の内部に円形の収容空間が形成されるとともに、前記スリーブ部の外周面に凸部が設けられ、前記凸部に収容部が形成され、該収容部からスリーブ部を貫通して前記収容空間に連通する貫通孔が形成され、前記伸縮棒体は、断面が非円形の柱状であって、スリーブ部から突出される。前記位置決めリングは、前記収容空間に回動可能に収容され、前記伸縮棒体に合わせた非円形の連結孔を備え、伸縮棒体が連結孔に挿通されるとともに、位置決めリングの外周面に複数の嵌入孔が周方向に並べて穿設される。前記規制棒体は、フランジを備え、ガスシリンダー棒本体の凸部に径方向へ摺動可能に取り付けられ、フランジが収容部内に収容され、かつ、フランジから位置決め部が延伸されて貫通孔を通過し、さらに、前記フランジを介して前記規制棒体を内方へ向けて付勢する弾性部材が前記収容部内に設置され、前記規制棒体が内方へ摺動した時、前記位置決め部が嵌入孔に嵌合される。前記外カバーは、凸部の外側に取り付けられて、前記規制棒体と弾性部材の収容部からの脱出を規制するとともに、前記外カバーに規制棒体の外端部が突出される通孔が穿設される。前記規制部材は、規制棒体に偏心状に枢設され、かつ、回転に伴って前記外カバーに択一的に当接し、外カバーに当接した時に前記規制棒体を弾性部材の付勢力に抗して外方へ牽引する牽引面と、外カバーに当接した時に前記規制棒体を解放する解放面とを備えている。
前記ガスシリンダー棒本体は環状カバーを備え、該環状カバーが前記スリーブ部上に取り付けられて、前記位置決めリングの収容空間からの脱出が規制されてもよい。
【考案の効果】
【０００６】
本考案によれば、伸縮棒体は断面が非円形の柱状に形成され、かつ合わせて位置決めリングが穿置され、位置決めリングの外周面に複数の嵌入孔が並べて穿設されており、スリーブ部には位置決めリングに対応して規制棒体と規制部材が設置されているので、一種の迅速な嵌脱構造を形成し、規制部材を回転させることで、伸縮棒体を嵌入孔に嵌入させた固定状態と、伸縮棒体が嵌入孔から脱出した自由な旋回状態を調整でき、切り替え操作の利便性が向上し、伸縮棒体に椅子の座面を取り付ければ、使用者が簡易に座面の位置決めと旋回の切替え操作を行って使用できるため、実用性を備えている。
【図面の簡単な説明】
【０００７】
【図１】本考案の実施例を示すガスシリンダー棒の斜視図である。
【図２】本考案の実施例を示すガスシリンダー棒の分解斜視図である。
【図３】本考案の実施例を示すガスシリンダー棒の位置決め状態における要部断面図である。
【図４】本考案の実施例を示すガスシリンダー棒の自由旋回状態における要部断面図である。
【図５】本考案の実施例に係る斜視図である。
【考案を実施するための形態】
【０００８】
以下、本考案の実施例を図面に基づいて詳細に説明する。
図１及び図２に示すように、本考案のガスシリンダー棒は、ガスシリンダー棒本体１０、位置決めリング２０、規制棒体３０、外カバー４０、規制部材５０を含む。
ガスシリンダー棒本体１０の内部空間から伸縮棒体１１が延伸して設けられる。
ガスシリンダー棒本体１０の上端部にスリーブ部１２が設けられる。スリーブ部１２は下面が閉鎖された円環状であり、その内部に円形の収容空間１２１が形成されるとともに、スリーブ部１２の側壁に凸部１３が設けられ、凸部１３の外面に収容部１３１がスリーブ部１２の径方向に沿って形成され、収容部１３１からスリーブ部１２を貫通して収容空間１２１に連通する貫通孔１３２が形成される。
伸縮棒体１１は、断面が非円形の柱状であり、スリーブ部１２から上方へ突出される。
【０００９】
位置決めリング２０は、伸縮棒体１１に合わせた非円形の連結孔２１を備え、伸縮棒体１１が連結孔２１に挿通される。位置決めリング２０の外周面には、複数の嵌入孔２２が周方向に並べて形成される。
また、位置決めリング２０は、スリーブ部１２の収容空間１２１内に回動可能に設置され、スリーブ部１２の上面を塞ぐように、環状カバー１４がガスシリンダー棒本体１０の外周囲に取り付けられ、これにより位置決めリング２０が収容空間１２１から脱出しないようになっている。
【００１０】
規制棒体３０は、フランジ３１を備え、ガスシリンダー棒本体１０の凸部１３に径方向へ摺動可能に取り付けられる。
フランジ３１は収容部１３１内に摺動可能に配置され、かつフランジ３１から位置決め部３２が延伸され、この位置決め部３２が貫通孔１３２に挿通されている。また、フランジ３１の外側において、規制棒体３０の外周にコイル状の弾性部材３３が設置される。
【００１１】
外カバー４０は凸部１３の外側を被覆するよう取り付けられ、規制棒体３０と弾性部材３３の収容部１３１からの脱出が規制される。また、外カバー４０には、規制棒体３０の外端部が突出される通孔４１が穿設される。そして、収容部１３１内に収容された弾性部材３３は、外カバー４０とフランジ３１の間に介在され、規制棒体３０を内方へ向けて付勢している。
規制部材５０は規制棒体３０の外カバー４０から突出した部分に偏心した状態で回転可能に取り付けられる。また、規制部材５０は、回転に伴って択一的に外カバー４０の外面に当接する牽引面５１と解放面５２を備えている。規制部材５０の回転中心から牽引面５１までの距離は、回転中心から解放面５２までの距離より長くなっている。
【００１２】
図２〜図４に示すように、位置決めリング２０の連結孔２１にはガスシリンダー棒本体１０の伸縮棒体１１が挿通され、位置決めリング２０と伸縮棒体１１とが同期して連動するようになっている。かつ、位置決めリング２０は収容空間１２１内に収容され、環状カバー１４がスリーブ部１２に合わせて取り付けられ、それにより位置決めリング２０の収容空間１２１からの脱出が規制される。
規制棒体３０は、フランジ３１と位置決め部３２が凸部１３の収容部１３１内に組み込まれ、かつ位置決め部３２が貫通孔１３２に挿通されて、位置決めリング２０の嵌入孔２２内に出没する。
【００１３】
外カバー４０は凸部１３の外部を被覆するよう取り付けられ、外カバー４０の通孔４１に規制棒体３０が穿通され、それにより、規制棒体３０のフランジ３１と弾性部材３３が収容部１３１から脱出しないよう規制している。
規制部材５０は、規制棒体３０の外カバー４０から突出された端部に枢設され、かつ外カバー４０の壁面に当接される。
以上のように、ガスシリンダー棒は構成される。
【００１４】
ガスシリンダー棒を実際に使用する際には、図５に示すように、ガスシリンダー棒本体１０の伸縮棒体１１の端部に座面６０が組み込まれる。
規制部材５０は規制棒体３０の端部に枢設され、図３に示すように、解放面５２が外カバー４０壁面に当接している時は、規制棒体３０が規制部材５０により引っ張られずに解放された状態となり、かつ弾性部材３３によりフランジ３１が内方へ付勢され、位置決め部３２が貫通孔１３２を通過して収容空間１２１内に挿入され、位置決めリング２０の嵌入孔２２に嵌合される。これにより、位置決めリング２０の回動が規制されて位置決めされ、さらに位置決めリング２０により伸縮棒体１１の回動が規制されて、伸縮棒体１１に組み込まれた座面６０をガスシリンダー棒本体１０上で旋回させることができなくなり、座面６０が位置決めされた状態となって、使用者が椅子に座っているとき左右に旋回したり、揺動したりすることがなく、座面６０の使用時の安定性が高められる。
【００１５】
一方、座面６０をガスシリンダー棒本体１０に対して旋回可能な状態に戻したいときは、図４に示すように、規制部材５０を下に枢動させて牽引面５１を外カバー４０の壁面に当接させる。
すると、規制部材５０と規制棒体３０に形成された偏心状の枢設によって、規制棒体３０が引っ張り出されて弾性部材３３が圧縮され、位置決め部３２が収容空間１２１から引き出されて位置決めリング２０の嵌入孔２２から離脱し、ガスシリンダー棒本体１０の伸縮棒体１１が自由に回動可能となり、座面６０の旋回可能な状態が回復される。
【００１６】
伸縮棒体１１は非円柱状に形成され、かつ合わせて位置決めリング２０が穿置され、位置決めリング２０の外周面に複数の嵌入孔２２が並べて穿設されており、スリーブ部１２には位置決めリング２０に対応して規制棒体３０と規制部材５０が設置され、これにより一種の迅速な嵌脱構造を形成し、規制部材５０を回転させることで、伸縮棒体１１が固定される固定状態と、伸縮棒体１１が自由な旋回状態を調整でき、切り替え操作の利便性が向上し、使用者が簡易に座面６０の位置決めと旋回の切替え操作を行って使用できるため、実用性を備えている。
【００１７】
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００１８】
１０    ガスシリンダー棒本体
１１    伸縮棒体
１２    スリーブ部
１２１  収容空間
１３    凸部
１３１  収容部
１３２  貫通孔
２０    位置決めリング
２１    連結孔
２２    嵌入孔
１４    環状カバー
３０    規制棒体
３１    フランジ
３２    位置決め部
３３    弾性部材
４０    外カバー
４１    通孔
５０    規制部材
５１    牽引面
５２    解放面
６０    座面
【図１】
0003197257.tif 000003
【図２】
0003197257.tif 000004
【図３】
0003197257.tif 000005
【図４】
0003197257.tif 000006
【図５】
0003197257.tif 000007